(57)【要約】【課題】本発明は多関節スリーブスパナを開示した。【解決手段】本発明は多関節スリーブスパナを開示し、固定ブロックを含み、前記固定ブロックの中にはラチェットチャンバが設置されており、ラチェットを一つだけの方向へ回転させ、前記ネジ山スリーブの設置は大円柱と小円柱を伸縮収納できるようにさせ、スパナが占める空間を減少させ、それにスパナが狭い空間に伸びてボルトに操作でき、狭い空間の中にボルトが締めにくい問題を解決できる。【選択図】図１
2020183022.tif 000002
【特許請求の範囲】
【請求項１】
正面視で、多関節スリーブスパナであって、固定ブロックを含み、前記固定ブロックの中にはラチェットチャンバが設置されており、前記ラチェットチャンバの中にはラチェット機構が設置されており、前記ラチェットチャンバの上下両側端壁にはラック溝が設置されており、前記ラック溝の右側には転輪チャンバが設置されており、前記ラチェット機構は前記ラチェットチャンバの後壁に回転できるように設置されるラチェットを含み、前記ラチェットの外周には均一に分布される凹溝が設置されており、前記凹溝の中にはヒンジ歯がヒンジにより連結され、前記ヒンジ歯と前記凹溝との間には第一ばねが連結され、前記ラチェットの前側端面には第一端面歯車が固定的に設置されており、底部の前記ラック溝を例として詳しく説明し、前記ラック溝の中にはラックがスライドできるように設置されており、前記ラックの頂端には第二端面歯車が固定的に設置されており、前記第一端面歯車の右側の前記ラチェットチャンバの後壁には中部歯車が回転できるように設置されており、前記中部歯車と前記第一端面歯車とが噛合し、前記転輪チャンバの中には転輪が回転できるように設置されており、底部の前記転輪を例として詳しく説明し、前記転輪と前記ラックとの間にはリンクによってヒンジにより連結され、前記固定ブロックの上下両側端壁には支えブロックが固定的に設置されており、底部の前記支えブロックを例として詳しく説明し、前記支えブロックの前側端には押圧棒がヒンジにより設置されており、前記押圧棒にも折畳みストッパーが設置されられ、押圧棒を折り畳むことができるようにさせ、スパナが占めるスペースを減少し、設置しなくても構わなく、前記押圧棒の右側端が牽引杆を押えることによって前記転輪とヒンジにより連結され、前記押圧棒の外壁には保護カバーが固定的に設置されており、前記押圧棒と前記固定ブロックとの間には第二ばねが連結されることを特徴とする多関節スリーブスパナ。
【請求項２】
前記固定ブロックの右側端面には大円柱が固定的に設置されており、前記大円柱の中には左側空きチャンバが設置されており、前記左側空きチャンバの上下両側端壁には左側スライド溝が設置されており、前記左側空きチャンバの中には中円柱がスライドできるように設置されており、前記中円柱の上下両側端面にはいずれも左側スライドブロックが固定的に設置されており、前記左側スライドブロックが前記左側スライド溝の中にスライドできるように設置されており、前記中円柱の中には中部空きチャンバが設置されており、前記中部空きチャンバの上下両側端壁にはいずれも中部スライド溝が設置されており、前記中部空きチャンバの中には小円柱がスライドできるように設置されており、前記小円柱の上下両側端壁には右側スライドブロックが固定的に設置されており、前記右側スライドブロックが前記中部スライド溝とスライドできるように連結され、前記中部空きチャンバの左側端壁の中には左側スライドブロックが回転できるように設置されており、前記左側スライドブロックの左側延伸部分が前記ラチェットチャンバの中に伸びており、前記左側スライドブロックの左側延伸部分の末端には前記中部歯車と噛合する伝動傘歯車が固定的に設置されており、前記大円柱の外側にはスリーブが掛けられ、前記スリーブは固定支えブロックによって前記中円柱と固定的に連結され、前記スリーブの外側には左右に対称的に設置されるネジ山スリーブが回転できるように掛けられ、左側に位置する前記ネジ山スリーブと前記大円柱の外壁とがネジ山により連結され、右側に位置する前記ネジ山スリーブと前記小円柱とがネジ山により連結され、前記ネジ山スリーブの外側にはいずれも円柱スリーブが固定的に掛けられ、前記大円柱の外側のネジ山と前記小円柱の外側のネジ山とが逆に設置されており、操作員は左手で左側の前記円柱スリーブを握ったり、右手で右側の前記円柱スリーブを握ったりして回転するときに、前記大円柱と前記小円柱は伸びたり戻ったりでき、前記小円柱の中にはスプライン軸が回転できるように設置されており、前記スプライン軸の左側延伸部分と前記スプラインスリーブとがスプラインにより連結されることを特徴とする請求項１に記載の多関節スリーブスパナ。
【請求項３】
前記小円柱の右側端面には作業ブロックが固定的に設置されており、前記作業ブロックの中には円形チャンバが設置されており、前記円形チャンバの内壁には環状溝が設置されており、前記円形チャンバの中には円形歯車が回転できるように設置されており、前記円形歯車の中には矩形チャンバが設置されており、前記矩形チャンバの前後に貫通し設置されており、前記矩形チャンバの中には矩形ブロックが設置されており、前記矩形ブロックの上下両端には軸ピンが回転できるように設置されており、前記矩形ブロックの前後両側端面には軸スリーブが固定的に設置されており、前後両側に位置する前記軸スリーブの大きさが異なるように設置され、異なるサイズのニーズを満たすことができ、前記円形チャンバの左側端壁には伝動チャンバが設置されており、前記伝動チャンバの中には伝動歯車が回転できるように設置されており、、前記スプライン軸の左側の延伸部分が前記伝動チャンバの中に伸びており、前記スプライン軸の左側の延伸部分の末端にはスプライン軸傘歯車が固定的に設置されており、前記スプライン軸傘歯車と前記伝動歯車とが噛み合うことを特徴とする請求項２に記載の多関節スリーブスパナ。
【発明の詳細な説明】
【技術分野】
【０００１】
本発明は工具分野を取り上げて、具体的には多関節スリーブスパナである。
【背景技術】
【０００２】
スリーブスパナはボルトを締め付けたり、緩めたりする専用工具であり、現有のスリーブスパナはほとんどスパナを手動回転させ、ところがこのようなスパナは狭い空間で回転できなく、あるいは回転しにくい、回転する過程に速度が遅い。
【先行技術文献】
【特許文献】
【０００３】
【特許文献１】中国特許出願公開第１０６６２５３５７号明細書
【発明の概要】
【発明が解決しようとする課題】
【０００４】
本発明の目的は多関節スリーブスパナを提供し、現有技術の上記欠点を克服でき、ネジを締めやすい。
【課題を解決するための手段】
【０００５】
本発明の多関節スリーブスパナは、固定ブロックを含み、前記固定ブロックの中にはラチェットチャンバが設置されており、前記ラチェットチャンバの中にはラチェット機構が設置されており、前記ラチェットチャンバの上下両側端壁にはラック溝が設置されており、前記ラック溝の右側には転輪チャンバが設置されており、前記ラチェット機構は前記ラチェットチャンバの後壁に回転できるように設置されるラチェットを含み、前記ラチェットの外周には均一に分布される凹溝が設置されており、前記凹溝の中にはヒンジ歯がヒンジにより連結され、前記ヒンジ歯と前記凹溝との間には第一ばねが連結され、前記ラチェットの前側端面には第一端面歯車が固定的に設置されており、底部の前記ラック溝を例として詳しく説明し、前記ラック溝の中にはラックがスライドできるように設置されており、前記ラックの頂端には第二端面歯車が固定的に設置されており、前記第一端面歯車の右側の前記ラチェットチャンバの後壁には中部歯車が回転できるように設置されており、前記中部歯車と前記第一端面歯車とが噛合し、前記転輪チャンバの中には転輪が回転できるように設置されており、底部の前記転輪を例として詳しく説明し、前記転輪と前記ラックとの間にはリンクによってヒンジにより連結され、前記固定ブロックの上下両側端壁には支えブロックが固定的に設置されており、底部の前記支えブロックを例として詳しく説明し、前記支えブロックの前側端には押圧棒がヒンジにより設置されており、前記押圧棒にも折畳みストッパーが設置されられ、押圧棒を折り畳むことができるようにさせ、スパナが占めるスペースを減少し、設置しなくても構わなく、前記押圧棒の右側端が牽引杆を押えることによって前記転輪とヒンジにより連結され、前記押圧棒の外壁には保護カバーが固定的に設置されており、前記押圧棒と前記固定ブロックとの間には第二ばねが連結される。
【０００６】
更なる技術方案、前記固定ブロックの右側端面には大円柱が固定的に設置されており、前記大円柱の中には左側空きチャンバが設置されており、前記左側空きチャンバの上下両側端壁には左側スライド溝が設置されており、前記左側空きチャンバの中には中円柱がスライドできるように設置されており、前記中円柱の上下両側端面にはいずれも左側スライドブロックが固定的に設置されており、前記左側スライドブロックが前記左側スライド溝の中にスライドできるように設置されており、前記中円柱の中には中部空きチャンバが設置されており、前記中部空きチャンバの上下両側端壁にはいずれも中部スライド溝が設置されており、前記中部空きチャンバの中には小円柱がスライドできるように設置されており、前記小円柱の上下両側端壁には右側スライドブロックが固定的に設置されており、前記右側スライドブロックが前記中部スライド溝とスライドできるように連結され、前記中部空きチャンバの左側端壁の中には左側スライドブロックが回転できるように設置されており、前記左側スライドブロックの左側延伸部分が前記ラチェットチャンバの中に伸びており、前記左側スライドブロックの左側延伸部分の末端には前記中部歯車と噛合する伝動傘歯車が固定的に設置されており、前記大円柱の外側にはスリーブが掛けられ、前記スリーブは固定支えブロックによって前記中円柱と固定的に連結され、前記スリーブの外側には左右に対称的に設置されるネジ山スリーブが回転できるように掛けられ、左側に位置する前記ネジ山スリーブと前記大円柱の外壁とがネジ山により連結され、右側に位置する前記ネジ山スリーブと前記小円柱とがネジ山により連結され、前記ネジ山スリーブの外側にはいずれも円柱スリーブが固定的に掛けられ、前記大円柱の外側のネジ山と前記小円柱の外側のネジ山とが逆に設置されており、操作員は左手で左側の前記円柱スリーブを握ったり、右手で右側の前記円柱スリーブを握ったりして回転するときに、前記大円柱と前記小円柱は伸びたり戻ったりでき、前記小円柱の中にはスプライン軸が回転できるように設置されており、前記スプライン軸の左側延伸部分と前記スプラインスリーブとがスプラインにより連結される。
【０００７】
更なる技術方案、前記小円柱の右側端面には作業ブロックが固定的に設置されており、前記作業ブロックの中には円形チャンバが設置されており、前記円形チャンバの内壁には環状溝が設置されており、前記円形チャンバの中には円形歯車が回転できるように設置されており、前記円形歯車の中には矩形チャンバが設置されており、前記矩形チャンバの前後に貫通し設置されており、前記矩形チャンバの中には矩形ブロックが設置されており、前記矩形ブロックの上下両端には軸ピンが回転できるように設置されており、前記矩形ブロックの前後両側端面には軸スリーブが固定的に設置されており、前後両側に位置する前記軸スリーブの大きさが異なるように設置され、異なるサイズのニーズを満たすことができ、前記円形チャンバの左側端壁には伝動チャンバが設置されており、前記伝動チャンバの中には伝動歯車が回転できるように設置されており、、前記スプライン軸の左側の延伸部分が前記伝動チャンバの中に伸びており、前記スプライン軸の左側の延伸部分の末端にはスプライン軸傘歯車が固定的に設置されており、前記スプライン軸傘歯車と前記伝動歯車とが噛み合う。
【０００８】
下記に、出願人は付図１〜４及び以上説明する多関節スリーブスパナを参考して使用方法を紹介し、まず、初期状態に、大円柱１２０は最大限にスリーブ１２８の中に位置し、その同時に小円柱１３２は最大限に中部空きチャンバ１２７の中に位置し、
【０００９】
本設備が使用される過程で、まず、左手で左側の円柱スリーブ１３０を握り、右手で右側の円柱スリーブ１３０を握り、逆方向に回転させ、左側のネジ山スリーブ１２９と右側のネジ山スリーブ１２９とが逆方向に回転し、それにより大円柱１２０を左へスライドさせ、小円柱１３２を右へスライドさせ、スパナを伸ばさせ、このときに軸スリーブ１４１を狭い隙間の中のボルトに掛けさせ、その同時に保護カバー１０１を手動に握り繰り返し、押圧棒１０２を互いに近づかせ、このときに押圧棒１０２は牽引杆１０８を引っ張り、転輪１０９を回転させ、これによりリンク１１１を右へ移動させ、このときにリンク１１１はラック１０４を引っ張り右へ移動させ、これによりラチェット１１９を回転させ、その同時に第一端面歯車１１５が回転し、第一端面歯車１１５が中部歯車１１４を回転連動させ、伝動傘歯車１１３を回転させ、伝動傘歯車１１３がスプラインスリーブ１１２を回転連動させ、スプラインスリーブ１１２がスプライン軸１２４を回転連動させ、スプライン軸１２４がスプライン軸傘歯車１３５を回転連動させ、これにより伝動歯車１３６を回転させ、伝動歯車１３６が円形歯車１５０を回転連動させ、軸スリーブ１４１を回転させ、軸スリーブ１４１がボルトを緩め、ボルトを締めるのならスパナを逆転して後側を前側にし、その同時に矩形ブロック１４０を回し、軸スリーブ１４１を反転させ、このとき押圧棒１０２を握り、ボルトが締められる。
【発明の効果】
【００１０】
本発明の有益な効果は下記の通りである：
【００１１】
本装置は前記ラチェット機構が凹溝、ヒンジ歯、第一ばねの協働によって、ラチェットを一つだけの方向へ回転させ、その同時に押圧棒が長くて押すときに省力させ、前記ネジ山スリーブの設置は大円柱と小円柱を伸縮収納できるようにさせ、スパナが占める空間を減少させ、それにスパナが狭い空間に伸びてボルトに操作でき、狭い空間の中にボルトが締めにくい問題を解決し、それに矩形ブロックが回転してボルトを締めたり開けたりすることが実現し、異なるサイズのボルトに対し操作する目的を満たし、それに本装置は伝動結構が簡単で、故障が出にくく、便利にメンテナンスし、普及しやすい。
【図面の簡単な説明】
【００１２】
下記に図１−４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明の多関節スリーブスパナの全体構成模式図
【図２】図２は本発明の多関節スリーブスパナの左側部分構造模式図
【図３】図３は本発明の多関節スリーブスパナの中間部分構造模式図
【図４】図４は本発明の多関節スリーブスパナの右側部分構造模式図
【発明を実施するための形態】
【００１４】
以下、図１〜４について本発明を詳しく説明し、便利に叙述するように、現在は後文に出る方位を下記の通りに規定する：後文に出る上下左右前後方向は図１本体の投影関係の上下左右前後方向と一致する。
【００１５】
図１から図４までに示されるように、本発明の多関節スリーブスパナは、固定ブロック１００を含み、前記固定ブロック１００の中にはラチェットチャンバ２０１が設置されており、前記ラチェットチャンバ２０１の中にはラチェット機構１０が設置されており、前記ラチェットチャンバ２０１の上下両側端壁にはラック溝２００が設置されており、前記ラック溝２００の右側には転輪チャンバ１１０が設置されており、前記ラチェット機構１０は前記ラチェットチャンバ２０１の後壁に回転できるように設置されるラチェット１１９を含み、前記ラチェット１１９の外周には均一に分布される凹溝１１７が設置されており、前記凹溝１１７の中にはヒンジ歯１１６がヒンジにより連結され、前記ヒンジ歯１１６と前記凹溝１１７との間には第一ばね１１８が連結され、前記ラチェット１１９の前側端面には第一端面歯車１１５が固定的に設置されており、底部の前記ラック溝２００を例として詳しく説明し、前記ラック溝２００の中にはラック１０４がスライドできるように設置されており、前記ラック１０４の頂端には第二端面歯車１１５が固定的に設置されており、前記第一端面歯車１１５の右側の前記ラチェットチャンバ２０１の後壁には中部歯車１１４が回転できるように設置されており、前記中部歯車１１４と前記第一端面歯車１１５とが噛合し、前記転輪チャンバ１１０の中には転輪１０９が回転できるように設置されており、底部の前記転輪１０９を例として詳しく説明し、前記転輪１０９と前記ラック１０４との間にはリンク１１１によってヒンジにより連結され、前記固定ブロック１００の上下両側端壁には支えブロック１０７が固定的に設置されており、底部の前記支えブロック１０７を例として詳しく説明し、前記支えブロック１０７の前側端には押圧棒１０２がヒンジにより設置されており、前記押圧棒１０２にも折畳みストッパー３００が設置されられ、押圧棒１０２を折り畳むことができるようにさせ、スパナが占めるスペースを減少し、設置しなくても構わなく、前記押圧棒１０２の右側端が牽引杆１０８を押えることによって前記転輪１０９とヒンジにより連結され、前記押圧棒１０２の外壁には保護カバー１０１が固定的に設置されており、前記押圧棒１０２と前記固定ブロック１００との間には第二ばね１０６が連結される。
【００１６】
前記固定ブロック１００の右側端面には大円柱１２０が固定的に設置されており、前記大円柱１２０の中には左側空きチャンバ１２６が設置されており、前記左側空きチャンバ１２６の上下両側端壁には左側スライド溝１２１が設置されており、前記左側空きチャンバ１２６の中には中円柱１２３がスライドできるように設置されており、前記中円柱１２３の上下両側端面にはいずれも左側スライドブロック１２２が固定的に設置されており、前記左側スライドブロック１２２が前記左側スライド溝１２１の中にスライドできるように設置されており、前記中円柱１２３の中には中部空きチャンバ１２７が設置されており、前記中部空きチャンバ１２７の上下両側端壁にはいずれも中部スライド溝１２５が設置されており、前記中部空きチャンバ１２７の中には小円柱１３２がスライドできるように設置されており、前記小円柱１３２の上下両側端壁には右側スライドブロック１３１が固定的に設置されており、前記右側スライドブロック１３１が前記中部スライド溝１２５とスライドできるように連結され、前記中部空きチャンバ１２７の左側端壁の中には左側スライドブロック１２２が回転できるように設置されており、前記左側スライドブロック１２２の左側延伸部分が前記ラチェットチャンバ２０１の中に伸びており、前記左側スライドブロック１２２の左側延伸部分の末端には前記中部歯車１１４と噛合する伝動傘歯車１１３が固定的に設置されており、前記大円柱１２０の外側にはスリーブ１２８が掛けられ、前記スリーブ１２８は固定支えブロック１４７によって前記中円柱１２３と固定的に連結され、前記スリーブ１２８の外側には左右に対称的に設置されるネジ山スリーブ１２９が回転できるように掛けられ、左側に位置する前記ネジ山スリーブ１２９と前記大円柱１２０の外壁とがネジ山により連結され、右側に位置する前記ネジ山スリーブ１２９と前記小円柱１３２とがネジ山により連結され、前記ネジ山スリーブ１２９の外側にはいずれも円柱スリーブ１３０が固定的に掛けられ、前記大円柱１２０の外側のネジ山と前記小円柱１３２の外側のネジ山とが逆に設置されており、操作員は左手で左側の前記円柱スリーブ１３０を握ったり、右手で右側の前記円柱スリーブ１３０を握ったりして回転するときに、前記大円柱１２０と前記小円柱１３２は伸びたり戻ったりでき、前記小円柱１３２の中にはスプライン軸１２４が回転できるように設置されており、前記スプライン軸１２４の左側延伸部分と前記スプラインスリーブ１１２とがスプラインにより連結される。
【００１７】
前記小円柱１３２の右側端面には作業ブロック１３４が固定的に設置されており、前記作業ブロック１３４の中には円形チャンバ１３８が設置されており、前記円形チャンバ１３８の内壁には環状溝１４５が設置されており、前記円形チャンバ１３８の中には円形歯車１５０が回転できるように設置されており、前記円形歯車１５０の中には矩形チャンバ１３９が設置されており、前記矩形チャンバ１３９の前後に貫通し設置されており、前記矩形チャンバ１３９の中には矩形ブロック１４０が設置されており、前記矩形ブロック１４０の上下両端には軸ピン１４２が回転できるように設置されており、前記矩形ブロック１４０の前後両側端面には軸スリーブ１４１が固定的に設置されており、前後両側に位置する前記軸スリーブ１４１の大きさが異なるように設置され、異なるサイズのニーズを満たすことができ、前記円形チャンバ１３８の左側端壁には伝動チャンバ１５１が設置されており、前記伝動チャンバ１５１の中には伝動歯車１３６が回転できるように設置されており、、前記スプライン軸１２４の左側の延伸部分が前記伝動チャンバ１５１の中に伸びており、前記スプライン軸１２４の左側の延伸部分の末端にはスプライン軸傘歯車１３５が固定的に設置されており、前記スプライン軸傘歯車１３５と前記伝動歯車１３６とが噛み合う。
【００１８】
下記に、出願人は付図１〜４及び以上説明する多関節スリーブスパナを参考して使用方法を紹介し、まず、初期状態に、大円柱１２０は最大限にスリーブ１２８の中に位置し、その同時に小円柱１３２は最大限に中部空きチャンバ１２７の中に位置し、
【００１９】
本設備が使用される過程に、まず、左手で左側の円柱スリーブ１３０を握り、右手で右側の円柱スリーブ１３０を握り、逆方向に回転させ、左側のネジ山スリーブ１２９と右側のネジ山スリーブ１２９とが逆方向に回転し、それにより大円柱１２０を左へスライドさせ、小円柱１３２を右へスライドさせ、スパナを伸ばさせ、このときに軸スリーブ１４１を狭い隙間の中のボルトに掛けさせ、その同時に保護カバー１０１を手動に握り繰り返し、押圧棒１０２を互いに近づかせ、このときに押圧棒１０２は牽引杆１０８を引っ張り、転輪１０９を回転させ、これによりリンク１１１を右へ移動させ、このときにリンク１１１はラック１０４を引っ張り右へ移動させ、これによりラチェット１１９を回転させ、その同時に第一端面歯車１１５が回転し、第一端面歯車１１５が中部歯車１１４を回転連動させ、伝動傘歯車１１３を回転させ、伝動傘歯車１１３がスプラインスリーブ１１２を回転連動させ、スプラインスリーブ１１２がスプライン軸１２４を回転連動させ、スプライン軸１２４がスプライン軸傘歯車１３５を回転連動させ、これにより伝動歯車１３６を回転させ、伝動歯車１３６が円形歯車１５０を回転連動させ、軸スリーブ１４１を回転させ、軸スリーブ１４１がボルトを緩め、ボルトを締めるのならスパナを逆転して後側を前側にし、その同時に矩形ブロック１４０を回し、軸スリーブ１４１を反転させ、このとき押圧棒１０２を握り、ボルトが締められる。
【００２０】
本発明の実施例を示し、説明した、ところが、本分野の普通の技術人員にとって、本発明の原理や精神を離脱しない状況にこの実施例を多種の変化、改変、入替え、変形することが理解でき、本発明の範囲は付属する特許文献及び同等品によって制限される。
【図１】
2020183022.tif 000003
【図２】
2020183022.tif 000004
【図３】
2020183022.tif 000005
【図４】
2020183022.tif 000006
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
スリーブスパナであって、固定ブロックを含み、前記固定ブロックの中にはラチェットチャンバが設置されており、前記ラチェットチャンバの中にはラチェット機構が設置されており、前記ラチェットチャンバの上下両側端壁にはラック溝が設置されており、前記ラック溝の右側には転輪チャンバが設置されており、前記ラチェット機構は前記ラチェットチャンバの後壁に回転できるように設置されるラチェットを含み、前記ラチェットの外周には均一に分布される凹溝が設置されており、前記凹溝の中にはヒンジ歯がヒンジにより連結され、前記ヒンジ歯と前記凹溝との間には第一ばねが連結され、前記ラチェットの前側端面には第一端面歯車が固定的に設置されており、前記ラック溝の中にはラックがスライドできるように設置されており、前記ラックの頂端には第二端面歯車が固定的に設置されており、前記第一端面歯車の右側の前記ラチェットチャンバの後壁には中部歯車が回転できるように設置されており、前記中部歯車と前記第一端面歯車とが噛合し、前記転輪チャンバの中には転輪が回転できるように設置されており、前記転輪と前記ラックとの間にはリンクによってヒンジにより連結され、前記固定ブロックの上下両側端壁には支えブロックが固定的に設置されており、前記支えブロックの前側端には押圧棒がヒンジにより設置されており、前記押圧棒に折畳みストッパーを設置することができ、押圧棒を折り畳むことができるようにさせ、スパナが占めるスペースを減少し、前記押圧棒の右側端が牽引杆を押えることによって前記転輪とヒンジにより連結され、前記押圧棒の外壁には保護カバーが固定的に設置されており、前記押圧棒と前記固定ブロックとの間には第二ばねが連結されることを特徴とするスリーブスパナ。
【請求項２】
前記固定ブロックの右側端面には大円柱が固定的に設置されており、前記大円柱の中には左側空きチャンバが設置されており、前記左側空きチャンバの上下両側端壁には左側スライド溝が設置されており、前記左側空きチャンバの中には中円柱がスライドできるように設置されており、前記中円柱の上下両側端面にはいずれも左側スライドブロックが固定的に設置されており、前記左側スライドブロックが前記左側スライド溝の中にスライドできるように設置されており、前記中円柱の中には中部空きチャンバが設置されており、前記中部空きチャンバの上下両側端壁にはいずれも中部スライド溝が設置されており、前記中部空きチャンバの中には小円柱がスライドできるように設置されており、前記小円柱の上下両側端壁には右側スライドブロックが固定的に設置されており、前記右側スライドブロックが前記中部スライド溝とスライドできるように連結され、前記中部空きチャンバの左側端壁の中には第二スライドブロックが回転できるように設置されており、前記第二スライドブロックの左側延伸部分が前記ラチェットチャンバの中に伸びており、前記左側スライドブロックの左側延伸部分の末端には前記中部歯車と噛合する伝動傘歯車が固定的に設置されており、前記大円柱の外側にはスリーブが掛けられ、前記スリーブは固定支えブロックによって前記中円柱と固定的に連結され、前記スリーブの外側には左右に対称的に設置されるネジ山スリーブが回転できるように掛けられ、左側に位置する前記ネジ山スリーブと前記大円柱の外壁とがネジ山により連結され、右側に位置する前記ネジ山スリーブと前記小円柱とがネジ山により連結され、前記ネジ山スリーブの外側にはいずれも円柱スリーブが固定的に掛けられ、前記大円柱の外側のネジ山と前記小円柱の外側のネジ山とが逆に設置されており、操作員は左手で左側の前記円柱スリーブを握ったり、右手で右側の前記円柱スリーブを握ったりして回転するときに、前記大円柱と前記小円柱は伸びたり戻ったりでき、前記小円柱の中にはスプライン軸が回転できるように設置されており、前記スプライン軸の左側延伸部分とスプラインスリーブとがスプラインにより連結されることを特徴とする請求項１に記載のスリーブスパナ。
【請求項３】
前記小円柱の右側端面には作業ブロックが固定的に設置されており、前記作業ブロックの中には円形チャンバが設置されており、前記円形チャンバの内壁には環状溝が設置されており、前記円形チャンバの中には円形歯車が回転できるように設置されており、前記円形歯車の中には矩形チャンバが設置されており、前記矩形チャンバの前後に貫通し設置されており、前記矩形チャンバの中には矩形ブロックが設置されており、前記矩形ブロックの上下両端には軸ピンが回転できるように設置されており、前記矩形ブロックの前後両側端面には軸スリーブが固定的に設置されており、前記円形チャンバの左側端壁には伝動チャンバが設置されており、前記伝動チャンバの中には伝動歯車が回転できるように設置されており、前記スプライン軸の左側の延伸部分が前記伝動チャンバの中に伸びており、前記スプライン軸の末端にはスプライン軸傘歯車が固定的に設置されており、前記スプライン軸傘歯車と前記伝動歯車とが噛み合うことを特徴とする請求項２に記載のスリーブスパナ。
【手続補正２】
【補正対象書類名】明細書
【補正対象項目名】全文
【補正方法】変更
【補正の内容】
【発明の詳細な説明】
【技術分野】
【０００１】
本発明は工具分野を取り上げて、具体的にはスリーブスパナである。
【背景技術】
【０００２】
スリーブスパナはボルトを締め付けたり、緩めたりする専用工具であり、現有のスリーブスパナはほとんどスパナを手動回転させ、ところがこのようなスパナは狭い空間で回転できなく、あるいは回転しにくい、回転する過程に速度が遅い。
【先行技術文献】
【特許文献】
【０００３】
【特許文献１】中国特許出願公開第１０６６２５３５７号明細書
【発明の概要】
【発明が解決しようとする課題】
【０００４】
本発明の目的はスリーブスパナを提供し、現有技術の上記欠点を克服でき、ネジを締めやすい。
【課題を解決するための手段】
【０００５】
本発明のスリーブスパナは、固定ブロックを含み、前記固定ブロックの中にはラチェットチャンバが設置されており、前記ラチェットチャンバの中にはラチェット機構が設置されており、前記ラチェットチャンバの上下両側端壁にはラック溝が設置されており、前記ラック溝の右側には転輪チャンバが設置されており、前記ラチェット機構は前記ラチェットチャンバの後壁に回転できるように設置されるラチェットを含み、前記ラチェットの外周には均一に分布される凹溝が設置されており、前記凹溝の中にはヒンジ歯がヒンジにより連結され、前記ヒンジ歯と前記凹溝との間には第一ばねが連結され、前記ラチェットの前側端面には第一端面歯車が固定的に設置されており、前記ラック溝の中にはラックがスライドできるように設置されており、前記ラックの頂端には第二端面歯車が固定的に設置されており、前記第一端面歯車の右側の前記ラチェットチャンバの後壁には中部歯車が回転できるように設置されており、前記中部歯車と前記第一端面歯車とが噛合し、前記転輪チャンバの中には転輪が回転できるように設置されており、前記転輪と前記ラックとの間にはリンクによってヒンジにより連結され、前記固定ブロックの上下両側端壁には支えブロックが固定的に設置されており、前記支えブロックの前側端には押圧棒がヒンジにより設置されており、前記押圧棒に折畳みストッパーを設置することができ、押圧棒を折り畳むことができるようにさせ、スパナが占めるスペースを減少し、前記押圧棒の右側端が牽引杆を押えることによって前記転輪とヒンジにより連結され、前記押圧棒の外壁には保護カバーが固定的に設置されており、前記押圧棒と前記固定ブロックとの間には第二ばねが連結される。
【０００６】
更なる技術方案、前記固定ブロックの右側端面には大円柱が固定的に設置されており、前記大円柱の中には左側空きチャンバが設置されており、前記左側空きチャンバの上下両側端壁には左側スライド溝が設置されており、前記左側空きチャンバの中には中円柱がスライドできるように設置されており、前記中円柱の上下両側端面にはいずれも左側スライドブロックが固定的に設置されており、前記左側スライドブロックが前記左側スライド溝の中にスライドできるように設置されており、前記中円柱の中には中部空きチャンバが設置されており、前記中部空きチャンバの上下両側端壁にはいずれも中部スライド溝が設置されており、前記中部空きチャンバの中には小円柱がスライドできるように設置されており、前記小円柱の上下両側端壁には右側スライドブロックが固定的に設置されており、前記右側スライドブロックが前記中部スライド溝とスライドできるように連結され、前記中部空きチャンバの左側端壁の中には第二スライドブロックが回転できるように設置されており、前記第二スライドブロックの左側延伸部分が前記ラチェットチャンバの中に伸びており、前記左側スライドブロックの左側延伸部分の末端には前記中部歯車と噛合する伝動傘歯車が固定的に設置されており、前記大円柱の外側にはスリーブが掛けられ、前記スリーブは固定支えブロックによって前記中円柱と固定的に連結され、前記スリーブの外側には左右に対称的に設置されるネジ山スリーブが回転できるように掛けられ、左側に位置する前記ネジ山スリーブと前記大円柱の外壁とがネジ山により連結され、右側に位置する前記ネジ山スリーブと前記小円柱とがネジ山により連結され、前記ネジ山スリーブの外側にはいずれも円柱スリーブが固定的に掛けられ、前記大円柱の外側のネジ山と前記小円柱の外側のネジ山とが逆に設置されており、操作員は左手で左側の前記円柱スリーブを握ったり、右手で右側の前記円柱スリーブを握ったりして回転するときに、前記大円柱と前記小円柱は伸びたり戻ったりでき、前記小円柱の中にはスプライン軸が回転できるように設置されており、前記スプライン軸の左側延伸部分とスプラインスリーブとがスプラインにより連結される。
【０００７】
更なる技術方案、前記小円柱の右側端面には作業ブロックが固定的に設置されており、前記作業ブロックの中には円形チャンバが設置されており、前記円形チャンバの内壁には環状溝が設置されており、前記円形チャンバの中には円形歯車が回転できるように設置されており、前記円形歯車の中には矩形チャンバが設置されており、前記矩形チャンバの前後に貫通し設置されており、前記矩形チャンバの中には矩形ブロックが設置されており、前記矩形ブロックの上下両端には軸ピンが回転できるように設置されており、前記矩形ブロックの前後両側端面には軸スリーブが固定的に設置されており、前記円形チャンバの左側端壁には伝動チャンバが設置されており、前記伝動チャンバの中には伝動歯車が回転できるように設置されており、前記スプライン軸の左側の延伸部分が前記伝動チャンバの中に伸びており、前記スプライン軸の末端にはスプライン軸傘歯車が固定的に設置されており、前記スプライン軸傘歯車と前記伝動歯車とが噛み合う。
【０００８】
下記に、出願人は付図１〜４及び以上説明するスリーブスパナを参考して使用方法を紹介し、まず、初期状態に、大円柱１２０は最大限にスリーブ１２８の中に位置し、その同時に小円柱１３２は最大限に中部空きチャンバ１２７の中に位置し、
【０００９】
本設備が使用される過程で、まず、左手で左側の円柱スリーブ１３０を握り、右手で右側の円柱スリーブ１３０を握り、逆方向に回転させ、左側のネジ山スリーブ１２９と右側のネジ山スリーブ１２９とが逆方向に回転し、それにより大円柱１２０を左へスライドさせ、小円柱１３２を右へスライドさせ、スパナを伸ばさせ、このときに軸スリーブ１４１を狭い隙間の中のボルトに掛けさせ、その同時に保護カバー１０１を手動に握り繰り返し、押圧棒１０２を互いに近づかせ、このときに押圧棒１０２は牽引杆１０８を引っ張り、転輪１０９を回転させ、これによりリンク１１１を右へ移動させ、このときにリンク１１１はラック１０４を引っ張り右へ移動させ、これによりラチェット１１９を回転させ、その同時に第一端面歯車１１５が回転し、第一端面歯車１１５が中部歯車１１４を回転連動させ、伝動傘歯車１１３を回転させ、伝動傘歯車１１３がスプラインスリーブ１１２を回転連動させ、スプラインスリーブ１１２がスプライン軸１２４を回転連動させ、スプライン軸１２４がスプライン軸傘歯車１３５を回転連動させ、これにより伝動歯車１３６を回転させ、伝動歯車１３６が円形歯車１５０を回転連動させ、軸スリーブ１４１を回転させ、軸スリーブ１４１がボルトを緩め、ボルトを締めるのならスパナを逆転して後側を前側にし、その同時に矩形ブロック１４０を回し、軸スリーブ１４１を反転させ、このとき押圧棒１０２を握り、ボルトが締められる。
【発明の効果】
【００１０】
本発明の有益な効果は下記の通りである：
【００１１】
本装置は前記ラチェット機構が凹溝、ヒンジ歯、第一ばねの協働によって、ラチェットを一つだけの方向へ回転させ、その同時に押圧棒が長くて押すときに省力させ、前記ネジ山スリーブの設置は大円柱と小円柱を伸縮収納できるようにさせ、スパナが占める空間を減少させ、それにスパナが狭い空間に伸びてボルトに操作でき、狭い空間の中にボルトが締めにくい問題を解決し、それに矩形ブロックが回転してボルトを締めたり開けたりすることが実現し、異なるサイズのボルトに対し操作する目的を満たし、それに本装置は伝動結構が簡単で、故障が出にくく、便利にメンテナンスし、普及しやすい。
【図面の簡単な説明】
【００１２】
下記に図１−４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明のスリーブスパナの全体構成模式図
【図２】図２は本発明のスリーブスパナの左側部分構造模式図
【図３】図３は本発明のスリーブスパナの中間部分構造模式図
【図４】図４は本発明のスリーブスパナの右側部分構造模式図
【発明を実施するための形態】
【００１４】
以下、図１〜４について本発明を詳しく説明し、便利に叙述するように、現在は後文に出る方位を下記の通りに規定する：後文に出る上下左右前後方向は図１本体の投影関係の上下左右前後方向と一致する。
【００１５】
図１から図４までに示されるように、本発明のスリーブスパナは、固定ブロック１００を含み、前記固定ブロック１００の中にはラチェットチャンバ２０１が設置されており、前記ラチェットチャンバ２０１の中にはラチェット機構１０が設置されており、前記ラチェットチャンバ２０１の上下両側端壁にはラック溝２００が設置されており、前記ラック溝２００の右側には転輪チャンバ１１０が設置されており、前記ラチェット機構１０は前記ラチェットチャンバ２０１の後壁に回転できるように設置されるラチェット１１９を含み、前記ラチェット１１９の外周には均一に分布される凹溝１１７が設置されており、前記凹溝１１７の中にはヒンジ歯１１６がヒンジにより連結され、前記ヒンジ歯１１６と前記凹溝１１７との間には第一ばね１１８が連結され、前記ラチェット１１９の前側端面には第一端面歯車１１５が固定的に設置されており、前記ラック溝２００の中にはラック１０４がスライドできるように設置されており、前記ラック１０４の頂端には第二端面歯車１０５が固定的に設置されており、前記第一端面歯車１１５の右側の前記ラチェットチャンバ２０１の後壁には中部歯車１１４が回転できるように設置されており、前記中部歯車１１４と前記第一端面歯車１１５とが噛合し、前記転輪チャンバ１１０の中には転輪１０９が回転できるように設置されており、前記転輪１０９と前記ラック１０４との間にはリンク１１１によってヒンジにより連結され、前記固定ブロック１００の上下両側端壁には支えブロック１０７が固定的に設置されており、前記支えブロック１０７の前側端には押圧棒１０２がヒンジにより設置されており、前記押圧棒１０２に折畳みストッパー３００を設置することができ、押圧棒１０２を折り畳むことができるようにさせ、スパナが占めるスペースを減少し、前記押圧棒１０２の右側端が牽引杆１０８を押えることによって前記転輪１０９とヒンジにより連結され、前記押圧棒１０２の外壁には保護カバー１０１が固定的に設置されており、前記押圧棒１０２と前記固定ブロック１００との間には第二ばね１０６が連結される。
【００１６】
前記固定ブロック１００の右側端面には大円柱１２０が固定的に設置されており、前記大円柱１２０の中には左側空きチャンバ１２６が設置されており、前記左側空きチャンバ１２６の上下両側端壁には左側スライド溝１２１が設置されており、前記左側空きチャンバ１２６の中には中円柱１２３がスライドできるように設置されており、前記中円柱１２３の上下両側端面にはいずれも左側スライドブロック１２２が固定的に設置されており、前記左側スライドブロック１２２が前記左側スライド溝１２１の中にスライドできるように設置されており、前記中円柱１２３の中には中部空きチャンバ１２７が設置されており、前記中部空きチャンバ１２７の上下両側端壁にはいずれも中部スライド溝１２５が設置されており、前記中部空きチャンバ１２７の中には小円柱１３２がスライドできるように設置されており、前記小円柱１３２の上下両側端壁には右側スライドブロック１３１が固定的に設置されており、前記右側スライドブロック１３１が前記中部スライド溝１２５とスライドできるように連結され、前記中部空きチャンバ１２７の左側端壁の中には第二スライドブロックが回転できるように設置されており、前記第二スライドブロックの左側延伸部分が前記ラチェットチャンバ２０１の中に伸びており、前記左側スライドブロック１２２の左側延伸部分の末端には前記中部歯車１１４と噛合する伝動傘歯車１１３が固定的に設置されており、前記大円柱１２０の外側にはスリーブ１２８が掛けられ、前記スリーブ１２８は固定支えブロック１４７によって前記中円柱１２３と固定的に連結され、前記スリーブ１２８の外側には左右に対称的に設置されるネジ山スリーブ１２９が回転できるように掛けられ、左側に位置する前記ネジ山スリーブ１２９と前記大円柱１２０の外壁とがネジ山により連結され、右側に位置する前記ネジ山スリーブ１２９と前記小円柱１３２とがネジ山により連結され、前記ネジ山スリーブ１２９の外側にはいずれも円柱スリーブ１３０が固定的に掛けられ、前記大円柱１２０の外側のネジ山と前記小円柱１３２の外側のネジ山とが逆に設置されており、操作員は左手で左側の前記円柱スリーブ１３０を握ったり、右手で右側の前記円柱スリーブ１３０を握ったりして回転するときに、前記大円柱１２０と前記小円柱１３２は伸びたり戻ったりでき、前記小円柱１３２の中にはスプライン軸１２４が回転できるように設置されており、前記スプライン軸１２４の左側延伸部分とスプラインスリーブ１１２とがスプラインにより連結される。
【００１７】
前記小円柱１３２の右側端面には作業ブロック１３４が固定的に設置されており、前記作業ブロック１３４の中には円形チャンバ１３８が設置されており、前記円形チャンバ１３８の内壁には環状溝１４５が設置されており、前記円形チャンバ１３８の中には円形歯車１５０が回転できるように設置されており、前記円形歯車１５０の中には矩形チャンバ１３９が設置されており、前記矩形チャンバ１３９の前後に貫通し設置されており、前記矩形チャンバ１３９の中には矩形ブロック１４０が設置されており、前記矩形ブロック１４０の上下両端には軸ピン１４２が回転できるように設置されており、前記矩形ブロック１４０の前後両側端面には軸スリーブ１４１が固定的に設置されており、前記円形チャンバ１３８の左側端壁には伝動チャンバ１５１が設置されており、前記伝動チャンバ１５１の中には伝動歯車１３６が回転できるように設置されており、前記スプライン軸１２４の左側の延伸部分が前記伝動チャンバ１５１の中に伸びており、前記スプライン軸１２４の末端にはスプライン軸傘歯車１３５が固定的に設置されており、前記スプライン軸傘歯車１３５と前記伝動歯車１３６とが噛み合う。
【００１８】
下記に、出願人は付図１〜４及び以上説明するスリーブスパナを参考して使用方法を紹介し、まず、初期状態に、大円柱１２０は最大限にスリーブ１２８の中に位置し、その同時に小円柱１３２は最大限に中部空きチャンバ１２７の中に位置し、
【００１９】
本設備が使用される過程に、まず、左手で左側の円柱スリーブ１３０を握り、右手で右側の円柱スリーブ１３０を握り、逆方向に回転させ、左側のネジ山スリーブ１２９と右側のネジ山スリーブ１２９とが逆方向に回転し、それにより大円柱１２０を左へスライドさせ、小円柱１３２を右へスライドさせ、スパナを伸ばさせ、このときに軸スリーブ１４１を狭い隙間の中のボルトに掛けさせ、その同時に保護カバー１０１を手動に握り繰り返し、押圧棒１０２を互いに近づかせ、このときに押圧棒１０２は牽引杆１０８を引っ張り、転輪１０９を回転させ、これによりリンク１１１を右へ移動させ、このときにリンク１１１はラック１０４を引っ張り右へ移動させ、これによりラチェット１１９を回転させ、その同時に第一端面歯車１１５が回転し、第一端面歯車１１５が中部歯車１１４を回転連動させ、伝動傘歯車１１３を回転させ、伝動傘歯車１１３がスプラインスリーブ１１２を回転連動させ、スプラインスリーブ１１２がスプライン軸１２４を回転連動させ、スプライン軸１２４がスプライン軸傘歯車１３５を回転連動させ、これにより伝動歯車１３６を回転させ、伝動歯車１３６が円形歯車１５０を回転連動させ、軸スリーブ１４１を回転させ、軸スリーブ１４１がボルトを緩め、ボルトを締めるのならスパナを逆転して後側を前側にし、その同時に矩形ブロック１４０を回し、軸スリーブ１４１を反転させ、このとき押圧棒１０２を握り、ボルトが締められる。
【００２０】
本発明の実施例を示し、説明した、ところが、本分野の普通の技術人員にとって、本発明の原理や精神を離脱しない状況にこの実施例を多種の変化、改変、入替え、変形することが理解でき、本発明の範囲は付属する特許文献及び同等品によって制限される。
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
スリーブスパナであって、固定ブロックを含み、前記固定ブロックの中にはラチェットチャンバが設置されており、前記ラチェットチャンバの中にはラチェット機構が設置されており、前記ラチェットチャンバの上下両側端壁にはラック溝が設置されており、前記ラック溝の右側には転輪チャンバが設置されており、前記ラチェット機構は前記ラチェットチャンバの後壁に回転できるように設置されるラチェットを含み、前記ラチェットの外周には均一に分布される凹溝が設置されており、前記凹溝の中にはヒンジ歯がヒンジにより連結され、前記ヒンジ歯と前記凹溝との間には第一ばねが連結され、前記ラチェットの前側端面には第一端面歯車が固定的に設置されており、前記ラック溝の中にはラックがスライドできるように設置されており、前記ラックの頂端には第二端面歯車が固定的に設置されており、前記第一端面歯車の右側の前記ラチェットチャンバの後壁には中部歯車が回転できるように設置されており、前記中部歯車と前記第一端面歯車とが噛合し、前記転輪チャンバの中には転輪が回転できるように設置されており、前記転輪と前記ラックとの間にはリンクによってヒンジにより連結され、前記固定ブロックの上下両側端壁には支えブロックが固定的に設置されており、前記支えブロックの前側端には押圧棒がヒンジにより設置されており、前記押圧棒に折畳みストッパーを設置することができ、押圧棒を折り畳むことができるようにさせ、スパナが占めるスペースを減少し、前記押圧棒の右側端が牽引杆を押えることによって前記転輪とヒンジにより連結され、前記押圧棒の外壁には保護カバーが固定的に設置されており、前記押圧棒と前記固定ブロックとの間には第二ばねが連結されることを特徴とするスリーブスパナ。
【請求項２】
前記固定ブロックの右側端面には大円柱が固定的に設置されており、前記大円柱の中には左側空きチャンバが設置されており、前記左側空きチャンバの上下両側端壁には左側スライド溝が設置されており、前記左側空きチャンバの中には中円柱がスライドできるように設置されており、前記中円柱の上下両側端面にはいずれも左側スライドブロックが固定的に設置されており、前記左側スライドブロックが前記左側スライド溝の中にスライドできるように設置されており、前記中円柱の中には中部空きチャンバが設置されており、前記中部空きチャンバの上下両側端壁にはいずれも中部スライド溝が設置されており、前記中部空きチャンバの中には小円柱がスライドできるように設置されており、前記小円柱の上下両側端壁には右側スライドブロックが固定的に設置されており、前記右側スライドブロックが前記中部スライド溝とスライドできるように連結され、前記中部空きチャンバの左側端壁の中には第二スライドブロックが回転できるように設置されており、前記第二スライドブロックの左側延伸部分が前記ラチェットチャンバの中に伸びており、前記第二スライドブロックの左側延伸部分の末端には前記中部歯車と噛合する伝動傘歯車が固定的に設置されており、前記大円柱の外側にはスリーブが掛けられ、前記スリーブは固定支えブロックによって前記中円柱と固定的に連結され、前記スリーブの外側には左右に対称的に設置されるネジ山スリーブが回転できるように掛けられ、左側に位置する前記ネジ山スリーブと前記大円柱の外壁とがネジ山により連結され、右側に位置する前記ネジ山スリーブと前記小円柱とがネジ山により連結され、前記ネジ山スリーブの外側にはいずれも円柱スリーブが固定的に掛けられ、前記大円柱の外側のネジ山と前記小円柱の外側のネジ山とが逆に設置されており、操作員は左手で左側の前記円柱スリーブを握ったり、右手で右側の前記円柱スリーブを握ったりして回転するときに、前記大円柱と前記小円柱は伸びたり戻ったりでき、前記小円柱の中にはスプライン軸が回転できるように設置されており、前記スプライン軸の左側延伸部分とスプラインスリーブとがスプラインにより連結されることを特徴とする請求項１に記載のスリーブスパナ。
【請求項３】
前記小円柱の右側端面には作業ブロックが固定的に設置されており、前記作業ブロックの中には円形チャンバが設置されており、前記円形チャンバの内壁には環状溝が設置されており、前記円形チャンバの中には円形歯車が回転できるように設置されており、前記円形歯車の中には矩形チャンバが設置されており、前記矩形チャンバの前後に貫通し設置されており、前記矩形チャンバの中には矩形ブロックが設置されており、前記矩形ブロックの上下両端には軸ピンが回転できるように設置されており、前記矩形ブロックの前後両側端面には軸スリーブが固定的に設置されており、前記円形チャンバの左側端壁には伝動チャンバが設置されており、前記伝動チャンバの中には伝動歯車が回転できるように設置されており、前記スプライン軸の右側の延伸部分が前記伝動チャンバの中に伸びており、前記スプライン軸の末端にはスプライン軸傘歯車が固定的に設置されており、前記スプライン軸傘歯車と前記伝動歯車とが噛み合うことを特徴とする請求項２に記載のスリーブスパナ。
【手続補正２】
【補正対象書類名】明細書
【補正対象項目名】全文
【補正方法】変更
【補正の内容】
【発明の詳細な説明】
【技術分野】
【０００１】
本発明は工具分野を取り上げて、具体的にはスリーブスパナである。
【背景技術】
【０００２】
スリーブスパナはボルトを締め付けたり、緩めたりする専用工具であり、現有のスリーブスパナはほとんどスパナを手動回転させ、ところがこのようなスパナは狭い空間で回転できなく、あるいは回転しにくい、回転する過程に速度が遅い。
【先行技術文献】
【特許文献】
【０００３】
【特許文献１】中国特許出願公開第１０６６２５３５７号明細書
【発明の概要】
【発明が解決しようとする課題】
【０００４】
本発明の目的はスリーブスパナを提供し、現有技術の上記欠点を克服でき、ネジを締めやすい。
【課題を解決するための手段】
【０００５】
本発明のスリーブスパナは、固定ブロックを含み、前記固定ブロックの中にはラチェットチャンバが設置されており、前記ラチェットチャンバの中にはラチェット機構が設置されており、前記ラチェットチャンバの上下両側端壁にはラック溝が設置されており、前記ラック溝の右側には転輪チャンバが設置されており、前記ラチェット機構は前記ラチェットチャンバの後壁に回転できるように設置されるラチェットを含み、前記ラチェットの外周には均一に分布される凹溝が設置されており、前記凹溝の中にはヒンジ歯がヒンジにより連結され、前記ヒンジ歯と前記凹溝との間には第一ばねが連結され、前記ラチェットの前側端面には第一端面歯車が固定的に設置されており、前記ラック溝の中にはラックがスライドできるように設置されており、前記ラックの頂端には第二端面歯車が固定的に設置されており、前記第一端面歯車の右側の前記ラチェットチャンバの後壁には中部歯車が回転できるように設置されており、前記中部歯車と前記第一端面歯車とが噛合し、前記転輪チャンバの中には転輪が回転できるように設置されており、前記転輪と前記ラックとの間にはリンクによってヒンジにより連結され、前記固定ブロックの上下両側端壁には支えブロックが固定的に設置されており、前記支えブロックの前側端には押圧棒がヒンジにより設置されており、前記押圧棒に折畳みストッパーを設置することができ、押圧棒を折り畳むことができるようにさせ、スパナが占めるスペースを減少し、前記押圧棒の右側端が牽引杆を押えることによって前記転輪とヒンジにより連結され、前記押圧棒の外壁には保護カバーが固定的に設置されており、前記押圧棒と前記固定ブロックとの間には第二ばねが連結される。
【０００６】
更なる技術方案、前記固定ブロックの右側端面には大円柱が固定的に設置されており、前記大円柱の中には左側空きチャンバが設置されており、前記左側空きチャンバの上下両側端壁には左側スライド溝が設置されており、前記左側空きチャンバの中には中円柱がスライドできるように設置されており、前記中円柱の上下両側端面にはいずれも左側スライドブロックが固定的に設置されており、前記左側スライドブロックが前記左側スライド溝の中にスライドできるように設置されており、前記中円柱の中には中部空きチャンバが設置されており、前記中部空きチャンバの上下両側端壁にはいずれも中部スライド溝が設置されており、前記中部空きチャンバの中には小円柱がスライドできるように設置されており、前記小円柱の上下両側端壁には右側スライドブロックが固定的に設置されており、前記右側スライドブロックが前記中部スライド溝とスライドできるように連結され、前記中部空きチャンバの左側端壁の中には第二スライドブロックが回転できるように設置されており、前記第二スライドブロックの左側延伸部分が前記ラチェットチャンバの中に伸びており、前記第二スライドブロックの左側延伸部分の末端には前記中部歯車と噛合する伝動傘歯車が固定的に設置されており、前記大円柱の外側にはスリーブが掛けられ、前記スリーブは固定支えブロックによって前記中円柱と固定的に連結され、前記スリーブの外側には左右に対称的に設置されるネジ山スリーブが回転できるように掛けられ、左側に位置する前記ネジ山スリーブと前記大円柱の外壁とがネジ山により連結され、右側に位置する前記ネジ山スリーブと前記小円柱とがネジ山により連結され、前記ネジ山スリーブの外側にはいずれも円柱スリーブが固定的に掛けられ、前記大円柱の外側のネジ山と前記小円柱の外側のネジ山とが逆に設置されており、操作員は左手で左側の前記円柱スリーブを握ったり、右手で右側の前記円柱スリーブを握ったりして回転するときに、前記大円柱と前記小円柱は伸びたり戻ったりでき、前記小円柱の中にはスプライン軸が回転できるように設置されており、前記スプライン軸の左側延伸部分とスプラインスリーブとがスプラインにより連結される。
【０００７】
更なる技術方案、前記小円柱の右側端面には作業ブロックが固定的に設置されており、前記作業ブロックの中には円形チャンバが設置されており、前記円形チャンバの内壁には環状溝が設置されており、前記円形チャンバの中には円形歯車が回転できるように設置されており、前記円形歯車の中には矩形チャンバが設置されており、前記矩形チャンバの前後に貫通し設置されており、前記矩形チャンバの中には矩形ブロックが設置されており、前記矩形ブロックの上下両端には軸ピンが回転できるように設置されており、前記矩形ブロックの前後両側端面には軸スリーブが固定的に設置されており、前記円形チャンバの左側端壁には伝動チャンバが設置されており、前記伝動チャンバの中には伝動歯車が回転できるように設置されており、前記スプライン軸の右側の延伸部分が前記伝動チャンバの中に伸びており、前記スプライン軸の末端にはスプライン軸傘歯車が固定的に設置されており、前記スプライン軸傘歯車と前記伝動歯車とが噛み合う。
【０００８】
下記に、出願人は付図１〜４及び以上説明するスリーブスパナを参考して使用方法を紹介し、まず、初期状態に、大円柱１２０は最大限にスリーブ１２８の中に位置し、その同時に小円柱１３２は最大限に中部空きチャンバ１２７の中に位置し、
【０００９】
本設備が使用される過程で、まず、左手で左側の円柱スリーブ１３０を握り、右手で右側の円柱スリーブ１３０を握り、逆方向に回転させ、左側のネジ山スリーブ１２９と右側のネジ山スリーブ１２９とが逆方向に回転し、それにより大円柱１２０を左へスライドさせ、小円柱１３２を右へスライドさせ、スパナを伸ばさせ、このときに軸スリーブ１４１を狭い隙間の中のボルトに掛けさせ、その同時に保護カバー１０１を手動に握り繰り返し、押圧棒１０２を互いに近づかせ、このときに押圧棒１０２は牽引杆１０８を引っ張り、転輪１０９を回転させ、これによりリンク１１１を右へ移動させ、このときにリンク１１１はラック１０４を引っ張り右へ移動させ、これによりラチェット１１９を回転させ、その同時に第一端面歯車１１５が回転し、第一端面歯車１１５が中部歯車１１４を回転連動させ、伝動傘歯車１１３を回転させ、伝動傘歯車１１３がスプラインスリーブ１１２を回転連動させ、スプラインスリーブ１１２がスプライン軸１２４を回転連動させ、スプライン軸１２４がスプライン軸傘歯車１３５を回転連動させ、これにより伝動歯車１３６を回転させ、伝動歯車１３６が円形歯車１５０を回転連動させ、軸スリーブ１４１を回転させ、軸スリーブ１４１がボルトを緩め、ボルトを締めるのならスパナを逆転して後側を前側にし、その同時に矩形ブロック１４０を回し、軸スリーブ１４１を反転させ、このとき押圧棒１０２を握り、ボルトが締められる。
【発明の効果】
【００１０】
本発明の有益な効果は下記の通りである：
【００１１】
本装置は前記ラチェット機構が凹溝、ヒンジ歯、第一ばねの協働によって、ラチェットを一つだけの方向へ回転させ、その同時に押圧棒が長くて押すときに省力させ、前記ネジ山スリーブの設置は大円柱と小円柱を伸縮収納できるようにさせ、スパナが占める空間を減少させ、それにスパナが狭い空間に伸びてボルトに操作でき、狭い空間の中にボルトが締めにくい問題を解決し、それに矩形ブロックが回転してボルトを締めたり開けたりすることが実現し、異なるサイズのボルトに対し操作する目的を満たし、それに本装置は伝動結構が簡単で、故障が出にくく、便利にメンテナンスし、普及しやすい。
【図面の簡単な説明】
【００１２】
下記に図１−４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明のスリーブスパナの全体構成模式図
【図２】図２は本発明のスリーブスパナの左側部分構造模式図
【図３】図３は本発明のスリーブスパナの中間部分構造模式図
【図４】図４は本発明のスリーブスパナの右側部分構造模式図
【発明を実施するための形態】
【００１４】
以下、図１〜４について本発明を詳しく説明し、便利に叙述するように、現在は後文に出る方位を下記の通りに規定する：後文に出る上下左右前後方向は図１本体の投影関係の上下左右前後方向と一致する。
【００１５】
図１から図４までに示されるように、本発明のスリーブスパナは、固定ブロック１００を含み、前記固定ブロック１００の中にはラチェットチャンバ２０１が設置されており、前記ラチェットチャンバ２０１の中にはラチェット機構１０が設置されており、前記ラチェットチャンバ２０１の上下両側端壁にはラック溝２００が設置されており、前記ラック溝２００の右側には転輪チャンバ１１０が設置されており、前記ラチェット機構１０は前記ラチェットチャンバ２０１の後壁に回転できるように設置されるラチェット１１９を含み、前記ラチェット１１９の外周には均一に分布される凹溝１１７が設置されており、前記凹溝１１７の中にはヒンジ歯１１６がヒンジにより連結され、前記ヒンジ歯１１６と前記凹溝１１７との間には第一ばね１１８が連結され、前記ラチェット１１９の前側端面には第一端面歯車１１５が固定的に設置されており、前記ラック溝２００の中にはラック１０４がスライドできるように設置されており、前記ラック１０４の頂端には第二端面歯車１０５が固定的に設置されており、前記第一端面歯車１１５の右側の前記ラチェットチャンバ２０１の後壁には中部歯車１１４が回転できるように設置されており、前記中部歯車１１４と前記第一端面歯車１１５とが噛合し、前記転輪チャンバ１１０の中には転輪１０９が回転できるように設置されており、前記転輪１０９と前記ラック１０４との間にはリンク１１１によってヒンジにより連結され、前記固定ブロック１００の上下両側端壁には支えブロック１０７が固定的に設置されており、前記支えブロック１０７の前側端には押圧棒１０２がヒンジにより設置されており、前記押圧棒１０２に折畳みストッパー３００を設置することができ、押圧棒１０２を折り畳むことができるようにさせ、スパナが占めるスペースを減少し、前記押圧棒１０２の右側端が牽引杆１０８を押えることによって前記転輪１０９とヒンジにより連結され、前記押圧棒１０２の外壁には保護カバー１０１が固定的に設置されており、前記押圧棒１０２と前記固定ブロック１００との間には第二ばね１０６が連結される。
【００１６】
前記固定ブロック１００の右側端面には大円柱１２０が固定的に設置されており、前記大円柱１２０の中には左側空きチャンバ１２６が設置されており、前記左側空きチャンバ１２６の上下両側端壁には左側スライド溝１２１が設置されており、前記左側空きチャンバ１２６の中には中円柱１２３がスライドできるように設置されており、前記中円柱１２３の上下両側端面にはいずれも左側スライドブロック１２２が固定的に設置されており、前記左側スライドブロック１２２が前記左側スライド溝１２１の中にスライドできるように設置されており、前記中円柱１２３の中には中部空きチャンバ１２７が設置されており、前記中部空きチャンバ１２７の上下両側端壁にはいずれも中部スライド溝１２５が設置されており、前記中部空きチャンバ１２７の中には小円柱１３２がスライドできるように設置されており、前記小円柱１３２の上下両側端壁には右側スライドブロック１３１が固定的に設置されており、前記右側スライドブロック１３１が前記中部スライド溝１２５とスライドできるように連結され、前記中部空きチャンバ１２７の左側端壁の中には第二スライドブロックが回転できるように設置されており、前記第二スライドブロックの左側延伸部分が前記ラチェットチャンバ２０１の中に伸びており、前記第二スライドブロックの左側延伸部分の末端には前記中部歯車１１４と噛合する伝動傘歯車１１３が固定的に設置されており、前記大円柱１２０の外側にはスリーブ１２８が掛けられ、前記スリーブ１２８は固定支えブロック１４７によって前記中円柱１２３と固定的に連結され、前記スリーブ１２８の外側には左右に対称的に設置されるネジ山スリーブ１２９が回転できるように掛けられ、左側に位置する前記ネジ山スリーブ１２９と前記大円柱１２０の外壁とがネジ山により連結され、右側に位置する前記ネジ山スリーブ１２９と前記小円柱１３２とがネジ山により連結され、前記ネジ山スリーブ１２９の外側にはいずれも円柱スリーブ１３０が固定的に掛けられ、前記大円柱１２０の外側のネジ山と前記小円柱１３２の外側のネジ山とが逆に設置されており、操作員は左手で左側の前記円柱スリーブ１３０を握ったり、右手で右側の前記円柱スリーブ１３０を握ったりして回転するときに、前記大円柱１２０と前記小円柱１３２は伸びたり戻ったりでき、前記小円柱１３２の中にはスプライン軸１２４が回転できるように設置されており、前記スプライン軸１２４の左側延伸部分とスプラインスリーブ１１２とがスプラインにより連結される。
【００１７】
前記小円柱１３２の右側端面には作業ブロック１３４が固定的に設置されており、前記作業ブロック１３４の中には円形チャンバ１３８が設置されており、前記円形チャンバ１３８の内壁には環状溝１４５が設置されており、前記円形チャンバ１３８の中には円形歯車１５０が回転できるように設置されており、前記円形歯車１５０の中には矩形チャンバ１３９が設置されており、前記矩形チャンバ１３９の前後に貫通し設置されており、前記矩形チャンバ１３９の中には矩形ブロック１４０が設置されており、前記矩形ブロック１４０の上下両端には軸ピン１４２が回転できるように設置されており、前記矩形ブロック１４０の前後両側端面には軸スリーブ１４１が固定的に設置されており、前記円形チャンバ１３８の左側端壁には伝動チャンバ１５１が設置されており、前記伝動チャンバ１５１の中には伝動歯車１３６が回転できるように設置されており、前記スプライン軸１２４の右側の延伸部分が前記伝動チャンバ１５１の中に伸びており、前記スプライン軸１２４の末端にはスプライン軸傘歯車１３５が固定的に設置されており、前記スプライン軸傘歯車１３５と前記伝動歯車１３６とが噛み合う。
【００１８】
下記に、出願人は付図１〜４及び以上説明するスリーブスパナを参考して使用方法を紹介し、まず、初期状態に、大円柱１２０は最大限にスリーブ１２８の中に位置し、その同時に小円柱１３２は最大限に中部空きチャンバ１２７の中に位置し、
【００１９】
本設備が使用される過程に、まず、左手で左側の円柱スリーブ１３０を握り、右手で右側の円柱スリーブ１３０を握り、逆方向に回転させ、左側のネジ山スリーブ１２９と右側のネジ山スリーブ１２９とが逆方向に回転し、それにより大円柱１２０を左へスライドさせ、小円柱１３２を右へスライドさせ、スパナを伸ばさせ、このときに軸スリーブ１４１を狭い隙間の中のボルトに掛けさせ、その同時に保護カバー１０１を手動に握り繰り返し、押圧棒１０２を互いに近づかせ、このときに押圧棒１０２は牽引杆１０８を引っ張り、転輪１０９を回転させ、これによりリンク１１１を右へ移動させ、このときにリンク１１１はラック１０４を引っ張り右へ移動させ、これによりラチェット１１９を回転させ、その同時に第一端面歯車１１５が回転し、第一端面歯車１１５が中部歯車１１４を回転連動させ、伝動傘歯車１１３を回転させ、伝動傘歯車１１３がスプラインスリーブ１１２を回転連動させ、スプラインスリーブ１１２がスプライン軸１２４を回転連動させ、スプライン軸１２４がスプライン軸傘歯車１３５を回転連動させ、これにより伝動歯車１３６を回転させ、伝動歯車１３６が円形歯車１５０を回転連動させ、軸スリーブ１４１を回転させ、軸スリーブ１４１がボルトを緩め、ボルトを締めるのならスパナを逆転して後側を前側にし、その同時に矩形ブロック１４０を回し、軸スリーブ１４１を反転させ、このとき押圧棒１０２を握り、ボルトが締められる。
【００２０】
本発明の実施例を示し、説明した、ところが、本分野の普通の技術人員にとって、本発明の原理や精神を離脱しない状況にこの実施例を多種の変化、改変、入替え、変形することが理解でき、本発明の範囲は付属する特許文献及び同等品によって制限される。